(57)【要約】  本発明は、屋外広告用の大面積のＬＣＤ広告掲示板（１）に関する。ＬＣＤ広告掲示板の反射するＬＣＤ素子の輝度を得るためには、外からの光が必要になる。太陽光が十分でない時間のためには、人工の照明装置（７）が輝度を高めるために働く。太陽光がある場合に照明装置（７）が広告掲示板に影を落とすことを阻止するために、照明装置（７）は十分な太陽光の存在する場合には、広告掲示板（１）に射す太陽光の光路から外に移動させられる。
2007520750.tif 000002
【特許請求の範囲】
【請求項１】
屋外広告用の大面積のＬＣＤ広告掲示板（１）であって、広告掲示板の反射するＬＣＤ素子の輝度が、光の強さ及び方向に関連していて、太陽光が十分でない時間のために、広告掲示板にランプ（１３）を備えた人工の照明装置（７）が配属もしくは対応配置されている形式のものにおいて、広告掲示板（１）に射す太陽光の光路（１４）から照明装置（７）自体を移動させるための操作手段（９，１１）が設けられていることを特徴とするＬＣＤ広告掲示板。
【請求項２】
操作手段（９，１１）を作動させるために、光センサ（１９）を備えた制御装置が設けられている、請求項１記載のＬＣＤ広告掲示板。
【請求項３】
照明装置（７）を離反旋回させる又は引き戻すためにモータ式の操作手段が設けられている、請求項１又は２記載のＬＣＤ広告掲示板。
【請求項４】
照明装置（７）が、広告掲示板（１）に対して２つの位置だけを、すなわちただ１つの作動位置である照明ポジション（１６）とただ１つの非作動位置であるポジション、つまり戻りポジション（１７）又は格納ポジション（１８）とを有している、請求項１から３までのいずれか１項記載のＬＣＤ広告掲示板。
【発明の詳細な説明】
【技術分野】
【０００１】
本発明は、屋外広告用の大面積のＬＣＤ広告掲示板であって、広告掲示板の反射するＬＣＤ素子の輝度が、光の強さ及び方向に関連していて、太陽光が十分でない時間のために、広告掲示板に、ランプを備えた人工の照明装置が配属もしくは対応配置されており、照明装置のランプが場合によっては広告掲示板を見る人の側から照射するようになっている形式のものに関する。
【０００２】
ＬＣＤは、「Liquid-Crystal Display  液晶ディスプレイ」の略である。この場合人工的な光は、ＬＣＤ素子に対して結果的に、実質的に太陽光と同じ作用を有するようになっている。
【０００３】
ＷＯ０２／０７３５７／Ａ２には、通常生ぜしめられる広告画像を照明するためのランプが開示されている。この場合ランプは広告画像を見る人の側から照明するか、又は、各広告用ポスターが少なくとも半透明である場合には、広告画像は背面から照明される。
【０００４】
ＷＯ０１／８８６８８／Ａ１に記載されたＬＣＤパネルには、照明エレメントが配属もしくは対応配置されており、これらの照明エレメントは制御ユニットを用いて、太陽光の入射に相応して調整される。しかしながら太陽が照っている場合には、照明エレメントの影がＬＣＤパネルにはっきりと現れることがある。
【０００５】
例えば道路脇に設置されているか又は家屋の壁に取り付けられていて幅及び長さが数メートルの面積を有する大面積のＬＣＤ広告掲示板では、遠方から、例えば広告会社のセンターから広告モチーフを任意の順序で示し、そして再び消すことができる。個々のＬＣＤ素子は、一緒になって大画面の画像を生ぜしめ、この画像の輝度、つまり画像の明るさ及び色は所定の目的のために、すなわち遠くからも見える広告を得るために、当たる外部光によって初めて十分に生ぜしめられるもしくは増幅される。
【０００６】
外部光の作用は、光が板ガラスの後ろに保護されたＬＣＤ素子において反射されるということにその本質があると思われる。外部光としては、日中は太陽光だけで十分である。広告掲示板の輝度（Leuchtkraft）はしかしながら、陽光が例えば、黒い雲のため又は夜明けや夕暮れの薄明かりにおいて僅かになったり、夜、完全に失われた場合には、低下もしくは減退して薄らいでしまう。このようなもはや十分な陽光が得られない時間のために、従来はＬＣＤ広告掲示板に人工の照明装置が設けられており、この照明装置に設けられたランプは、場合によっては広告掲示板を見る人の側において、例えば太陽のように斜め上から照射し、ＬＣＤ素子をそれぞれの色において輝かす。
【０００７】
照明装置もしくはそのランプは、これらがその都度の広告モチーフの画像作用を損なわないように、設置される。従ってランプは広告掲示板の縁部の外側に取り付けられていて、ランプは、所定の角度範囲内で広告掲示板の前において、見る人と広告モチーフとの間に位置しないように、つまり広告モチーフを覆わないようになっている。しかしながらまた照明装置は、広告掲示板を見る人の側から太陽のように照射できるように、配置されていることが望ましい。既に述べたようにその結果、照明装置は太陽光のもとでは広告掲示板に明瞭な影を落とすことになる。
【０００８】
ゆえに本発明の課題は、冒頭に述べた形式のＬＣＤ広告掲示板を改良して、一方では、ＬＣＤ素子の所望の輝度（明るさ及び色）を太陽光が弱い場合又は存在しない場合でも、太陽が広告掲示板を照らしているかのように、発生もしくは増幅させることができるように、照明装置を広告掲示板に取り付け、かつ他方では、太陽光が十分にある場合には照明装置が広告掲示板に影として現れないようにすることである。
【０００９】
この課題を解決するために本発明の構成では、冒頭に述べた形式のＬＣＤ広告掲示板において、請求項１の特徴部に記載のように構成されている。本発明の別の有利な構成は、請求項２以下に記載されている。
【００１０】
すなわち本発明の構成では、広告掲示板に射す太陽光の光路から照明装置自体を移動させるための操作手段が設けられているようにした。言い換えれば、照明装置は、太陽光が十分にある時間には、広告掲示板に射す太陽光の光路の外に移動させられる。これによって照明装置は一方では、十分な太陽光が存在しない場合に、ＬＣＤ素子の明るさ及び色を強めて、各広告モチーフが遠くからも見えるようにするという課題を解決することができ、かつ他方では、太陽光が十分な場合には、太陽と広告掲示板との間における光路に照明装置が存在しないことによって、広告掲示板に影を落とさないようにすることができる。
【００１１】
照明装置が、十分な太陽光の存在しない時間には、ＬＣＤ素子を照射する少なくとも１つの作動位置である照明ポジションを占め、十分な太陽光が存在する時間のためには、非作動位置である戻りポジションを占めるようになっていると、有利である。戻りポジションにおいて、照明装置のランプ（個々のランプ又は発光列）は一般的に遮断されていると有利である。（見る人に対して）最適な明るさを得るために、有利には、ただ１つの作動位置である照明ポジションが、例えば実験によって決定される。特に手間もしくはコストの理由から、照明装置が広告掲示板に影を落とすことができないただ１つの戻りポジションだけが設定されていると、有利である。
【００１２】
照明装置の位置決め、つまり作動位置である照明ポジションと非作動位置である戻りポジションとの間における照明装置の運動は、本発明の有利な構成ではセンサによって調整され、このセンサは、広告掲示板に射す太陽光が所望の輝度を生ぜしめるのに十分であるか否かを、検知する。このようなセンサは有利には照明装置に次のように、すなわちセンサが太陽光を作動位置である照明ポジションにおいても戻りポジションにおいても検出して評価できるように、取り付けられる。このような形式のセンサ制御はそれ自体、例えばブラインドもしくは日よけ装置との関連において公知である。しかしながらまた基本的には、照明装置の作動ポジションと非作動ポジションとの間における切換えは、手動で行うことも可能である。
【００１３】
本発明の構成では、照明装置自体を広告掲示板に射す太陽光の光路から外に移動させるために、種々様々な形態の操作手段を設けることが可能である。照明装置もしくはそのランプを広告掲示板に射す太陽光の光路から外に離反旋回させる又は引き戻すためには、モータ式の操作手段が有利である。照明装置もしくはそのランプは、テレスコープ装置、ボーデンケーブル装置又はばね装置を用いても運動させることができる。照明装置が十分な太陽光のある間は見る人の視野から完全に消えるように移動させられると、つまり照明装置が広告掲示板のフレーム内に又は広告掲示板の後ろに沈み込むことによって、見る人から完全に見えなくなると、視覚的な効果として美的に特に有利である。
【００１４】
次に図面を参照しながら本発明の実施例を説明する。
【００１５】
図１は、ＬＣＤ広告掲示板を見る人の視角から見た図であり、
図２は、図１のＩＩ−ＩＩ線に沿った断面図である。
【００１６】
図１及び図２に全体を符号１で示された広告掲示板は、主としてフレーム２と広告掲示面もしくはＬＣＤ面３とから成っていて、このＬＣＤ面３は多数のＬＣＤ素子（図示せず）から成っている。図示されたＬＣＤ面３は板ガラス４によって前面（風雨を受ける外側面もしくは見る人側の面）に対して保護されている。ＬＣＤ面３の背側にはハウジング部分５が、例えば必要な電気系統を備えて設けられている。
【００１７】
図示の実施例ではフレーム２の上側のビーム６に、全体を符号７で示された照明装置が示されている。この照明装置７はレール８を有しており、このレール８は上側のビーム６に対して平行に延びていて、（ビーム６に対して垂直に位置している）脚９を用いて、旋回軸１０を備えたヒンジによりビーム６に取り付けられている。脚９のうちの少なくとも１つには、モータ１１が配属もしくは対応配置されていて、このモータ１１によって脚９ひいてはレール８を旋回方向１２において運動させることができる。レール８には幾つかのランプ１３、発光列（Lichtband）又はこれに類した照明手段が取り付けられている。
【００１８】
日中、太陽が輝いている場合には、太陽光１４が例えば図示の矢印方向でＬＣＤ面３もしくは板ガラス４に差している。この場合ほぼ同じ方向でランプ１３からの光もＬＣＤ面３を照明することが望ましい。ランプ１３を備えたレール８が相応なポジションに旋回させられ、かつ太陽が照っている場合には、つまり影１５が広告掲示板の面に落とされることになる。このような影を回避するために、照明装置７は、十分な太陽光が存在する間は、つまり影１５がはっきりと現れるような時間中には、広告掲示板面もしくはＬＣＤ面３への太陽光１４の光路から外に移動させられるようになっている。そのために図示の実施例では、ランプ１３を備えたレール８は、図２に示された作動状態の旋回ポジション１６から非作動状態の旋回ポジション１７（図２）へと旋回方向１２において移動させられる。図示の非作動状態の旋回ポジション１７において、ランプ１３を備えたレール８は今なお、広告掲示板を見る人の目に入る。そこでデザイン上の理由から有利には、ランプ１３を備えたレール８がさらに後方に（フレーム２の上側もしくは背側に向かって）移動させられ、例えば旋回させられる。このように構成されていると、レール８及びそのランプ１３は図示の格納ポジション１８に位置することになり、もはや広告掲示板を見る人の視界には入らなくなる。
【００１９】
図示の実施例では、ランプ１３は１つの共通のレール８（ランプ坦体）に固定されている。択一的に、ランプをそれぞれ個々に可動に構成することも可能である。往復動のためにランプもしくはランプ坦体がテレスコープに固定されているような構成も可能である。ランプの固定手段の移動又は旋回のために、遠隔制御されるモータが設けられていると有利である。モータはばね力によって助成され、例えば弾性的な戻し力に抗して作用するようになっていてもよい。モータと照明装置の各部分との間における力の伝達は、図２に示されているように直接的に旋回軸１０に対して行われてもよいし、任意の形式の伝動装置（歯車及び／又はボーデンケーブル）を介して行うこともできる。太陽の状態に関連して照明装置７を制御するために、ＬＣＤ面３の照明を検出する光センサ１９が、例えばレール８や、広告掲示板１に、特にＬＣＤ面３に設けられていて、モータ１１と連結されていることができる。
【図面の簡単な説明】
【００２０】
【図１】ＬＣＤ広告掲示板を見る人の視角から見た図である。
【図２】図１のＩＩ−ＩＩ線に沿った断面図である。
【符号の説明】
【００２１】
１  広告掲示板、  ２  フレーム、  ３  ＬＣＤ面、  ４  板ガラス、  ５  ハウジング部分、  ６  上側のビーム、  ７  照明装置、  ８  レール、  ９  脚、  １０  旋回軸、  １１  モータ、  １２  旋回方向、  １３  ランプ、  １４  太陽光、  １５  影、  １６  作動状態の旋回ポジション、  １７  非作動状態の旋回ポジション、  １８  格納ポジション、  １９  光センサ
【図１】
2007520750.tif 000003
【図２】
2007520750.tif 000004
【国際調査報告】
2007520750.tif 000005
2007520750.tif 000006
2007520750.tif 000007
2007520750.tif 000008
2007520750.tif 000009
2007520750.tif 000010